(57)【要約】【課題】暗渠管埋設溝内へのシートの敷設を簡便に行うことが可能なシート敷設器を提供する。【解決手段】あらかじめ形成された暗渠管埋設溝の底部にシートを敷設するためのシート敷設器であって、前記暗渠管埋設溝の内部に挿入されて溝長手方向に移動可能な溝内移動体１２と、該溝内移動体の上部で遮水性シート１５を巻回したシートロール１５ａを支持するためのシートロール支持部１３と、前記シートロールから引き出される遮水性シートを暗渠埋設溝の長手方向に平行な方向にガイドするシートガイド部１４と、該シートガイド部から後方に引き出される遮水性シートの上面中央を前記暗渠管埋設溝の底面中央に向けて押圧するシート押圧部材１６とを備えている。【選択図】図１
2019015064.tif 000002
【特許請求の範囲】
【請求項１】
あらかじめ形成された暗渠管埋設溝の底部にシートを敷設するためのシート敷設器であって、前記暗渠管埋設溝の内部に挿入されて溝長手方向に移動可能な溝内移動体と、該溝内移動体の上部で遮水性シートを巻回したシートロールを支持するためのシートロール支持部と、前記シートロールから引き出される遮水性シートを暗渠埋設溝の長手方向に平行な方向にガイドするシートガイド部と、該シートガイド部から後方に引き出される遮水性シートを前記暗渠管埋設溝の底面に向けて押圧するシート押圧部材とを備えていることを特徴とするシート敷設器。
【請求項２】
前記溝内移動体は、前記暗渠管埋設溝の底面に沿う形状の底面部ガイド部材と、該底面部ガイド部材の両側からそれぞれ立ち上がって前記暗渠管埋設溝の側面に沿う形状の側面部ガイド部材とで形成されていることを特徴とする請求項１記載のシート敷設器。
【請求項３】
前記シートロール支持部は、前記溝内移動体の進行方向前部側に設けられ、前記シートガイド部は、前記溝内移動体の進行方向後部側に設けられていることを特徴とする請求項１又は２記載のシート敷設器。
【請求項４】
前記溝内移動体の進行方向前部側に、溝内移動体を暗渠管埋設溝に沿って移動させるための牽引部が設けられていることを特徴とする請求項１乃至３のいずれか１項記載のシート敷設器。
【請求項５】
前記溝内移動体の下面に、前記暗渠管埋設溝の底面に接触して転動する底面部転動部材が設けられるとともに、前記溝内移動体の側面部に、前記暗渠管埋設溝の側面に接触して転動する側面部転動部材がそれぞれ設けられていることを特徴とする請求項１乃至４のいずれか１項記載のシート敷設器。
【請求項６】
前記シートガイド部は、前記暗渠管埋設溝に向かう遮水性シートの下面をガイドする下面ガイド部と、遮水性シートの両側縁をガイドする側縁ガイド部とを有するシートガイド部材を備えており、該シートガイド部材は、前端部が遮水性シートの幅寸法に対応した平板状に形成され、暗渠管埋設溝内に挿入される後端部が暗渠管埋設溝の底部形状に対応したＵ字状に形成されていることを特徴とする請求項１乃至５のいずれか１項記載のシート敷設器。
【請求項７】
前記シート押圧部材は、前記シートガイド部の上部に設けられた支持部材に基部が支持されて先端側が上下方向に揺動可能に形成された棒状部材からなり、該棒状部材の先端部に設けられたシート押圧部が下方に向けて凸となる円弧状に形成されていることを特徴とする請求項１乃至６のいずれか１項記載のシート敷設器。
【請求項８】
前記シートガイド部材は、前記遮水性シートの下面をガイドする下面ガイド部を有し、前記シート押圧部材は、前記シートガイド部材の後端部に設けられて、前記下面ガイド部の上面とシート押圧部材の下面との間に遮水性シートが通過可能なガイドスリットを形成することを特徴とする請求項１乃至６のいずれか１項記載のシート敷設器。
【発明の詳細な説明】
【技術分野】
【０００１】
本発明は、シート敷設器に関し、詳しくは、耕作地の地中に暗渠管を埋設する際に、該暗渠管の下部に配置される遮水シートを敷設するためのシート敷設器に関する。
【背景技術】
【０００２】
従来から、耕作地の灌漑用として、耕作地の地中に有孔管からなる暗渠管を埋設することが行われている。この暗渠管の埋設作業は、一般に、暗渠管を埋設するための暗渠管埋設溝を形成する工程と、形成した暗渠管埋設溝の底部に遮水性シートを敷設する工程と、敷設した遮水性シートの上に暗渠管を配置する工程と、暗渠管配置後の暗渠管埋設溝内に疎水材や土砂を投入して溝を埋め戻す工程とによって行われている。従来は、これらの工程を順番に行っていたが、これらの工程のいくつかを同時に行うための敷設装置も開発されている（例えば、特許文献１参照。）。
【先行技術文献】
【特許文献】
【０００３】
【特許文献１】特開２０１０−１８９８５９号公報
【発明の概要】
【発明が解決しようとする課題】
【０００４】
特許文献１に記載された敷設装置は、暗渠管埋設溝の形成、遮水性シートの敷設、暗渠管の配置、埋め戻しなどを１回の工程で行えるという利点は有しているものの、構造が複雑であり、耕作地の状態によっては不向きなことがあった。
【０００５】
そこで本発明は、前記各工程の中で、機械化が一番困難な暗渠管埋設溝内へのシートの敷設を簡便に行うことが可能なシート敷設器を提供することを目的としている。
【課題を解決するための手段】
【０００６】
上記目的を達成するため、本発明のシート敷設器は、あらかじめ形成された暗渠管埋設溝の底部にシートを敷設するためのシート敷設器であって、前記暗渠管埋設溝の内部に挿入されて溝長手方向に移動可能な溝内移動体と、該溝内移動体の上部で遮水性シートを巻回したシートロールを支持するためのシートロール支持部と、前記シートロールから引き出される遮水性シートを暗渠埋設溝の長手方向に平行な方向にガイドするシートガイド部と、該シートガイド部から後方に引き出される遮水性シートを前記暗渠管埋設溝の底面に向けて押圧するシート押圧部材とを備えていることをを特徴としている。
【０００７】
さらに、本発明のシート敷設器は、前記溝内移動体が、前記暗渠管埋設溝の底面に沿う形状の底面部ガイド部材と、該底面部ガイド部材の両側からそれぞれ立ち上がって前記暗渠管埋設溝の側面に沿う形状の側面部ガイド部材とで形成されていること、前記シートロール支持部が、前記溝内移動体の進行方向前部側に設けられ、前記シートガイド部が、前記溝内移動体の進行方向後部側に設けられていること、前記溝内移動体の進行方向前部側に、溝内移動体を暗渠管埋設溝に沿って移動させるための牽引部が設けられていること、前記溝内移動体の下面に、前記暗渠管埋設溝の底面に接触して転動する底面部転動部材が設けられるとともに、前記溝内移動体の側面部に、前記暗渠管埋設溝の側面に接触して転動する側面部転動部材がそれぞれ設けられていることを特徴としている。
【０００８】
また、前記シートガイド部が、前記暗渠管埋設溝に向かう遮水性シートの下面をガイドする下面ガイド部と、遮水性シートの両側縁をガイドする側縁ガイド部とを有するシートガイド部材を備えており、該シートガイド部材は、前端部が遮水性シートの幅寸法に対応した平板状に形成され、暗渠管埋設溝内に挿入される後端部が暗渠管埋設溝の底部形状に対応したＵ字状に形成されていること、前記シート押圧部材が、前記シートガイド部の上部に設けられた支持部材に基部が支持されて先端側が上下方向に揺動可能に形成された棒状部材からなり、該棒状部材の先端部に設けられたシート押圧部が下方に向けて凸となる円弧状に形成されていることを特徴としている。
【０００９】
さらに、前記シートガイド部材が、前記遮水性シートの下面をガイドする下面ガイド部を有し、前記シート押圧部材が、前記シートガイド部材の後端部に設けられて、前記下面ガイド部の上面とシート押圧部材の下面との間に遮水性シートが通過可能なガイドスリットを形成することを特徴としている。
【発明の効果】
【００１０】
本発明のシート敷設器によれば、シートロールをシートロール支持部にセットした状態で、シート敷設器を埋設溝に沿って前方に移動させることにより、シートロールからシートガイド部を介して後方に引き出された遮水性シートを、シート押圧部材で押圧して暗渠管埋設溝の底面に沿って敷設することができる。したがって、シート敷設器を移動させるだけで遮水性シートを埋設溝の底部に所定の状態で敷設することができる。
【図面の簡単な説明】
【００１１】
【図１】本発明のシート敷設器の第１形態例を示す斜視図である。
【図２】同じく側面図である。
【図３】シート敷設時の状態を示すシート敷設器の背面図である。
【図４】遮水性シートをシート押圧部材で押圧した状態を示す断面図である。
【図５】本発明のシート敷設器の第２形態例を示す斜視図である。
【図６】同じく側面図である。
【図７】本発明のシート敷設器の第３形態例を示す斜視図である。
【発明を実施するための形態】
【００１２】
図１乃至図４は、本発明のシート敷設器の第１形態例を示すもので、図２において、左側が進行方向前方となる。本形態例に示すシート敷設器は、あらかじめ適当な溝形成手段によって略Ｕ字状に形成された暗渠管埋設溝１１の内部に挿入されて溝長手方向に移動可能な溝内移動体１２と、該溝内移動体１２の上部に設けられたシートロール支持部１３と、該シートロール支持部１３の後方に設けられたシートガイド部１４と、該シートガイド部１４から後方に引き出される遮水性シート１５を下方に押圧するシート押圧部材１６とを備えている。
【００１３】
前記溝内移動体１２は、前記暗渠管埋設溝１１の底面１１ａに沿う形状の底面部ガイド部材１２ａと、該底面部ガイド部材１２ａの両側からそれぞれ立ち上がって前記暗渠管埋設溝１１の側面１１ｂ，１１ｂに沿う形状の一対の側面部ガイド部材１２ｂ，１２ｂとで略Ｕ字状に形成されており、前端開口には、補強板１２ｃが取り付けられている。また、溝内移動体１２の前端上部には、牽引部１７が立設している。
【００１４】
さらに、底面部ガイド部材１２ａの下面中央には、暗渠管埋設溝１１の底面１１ａに接触して転動する底面部転動部材１８ａが前後２箇所に設けられている。さらに、側面部ガイド部材１２ｂ，１２ｂの外面には、暗渠管埋設溝１１の側面下部に接触して転動する側面下部転動部材１８ｂが前後２箇所に設けられるとともに、暗渠管埋設溝１１の側面上部に接触して転動する側面上部転動部材１８ｃが前後２箇所に設けられている。
【００１５】
また、溝内移動体１２の上部には、底板１９ａと左右一対の側板１９ｂ，１９ｂとで形成された支持部材１９が取り付けられており、該支持部材１９の前部に前記シートロール支持部１３が設けられ、後部に前記シート押圧部材１６が設けられている。側板１９ｂ，１９ｂは、シートガイド部を兼ねるものであって側板１９ｂ，１９ｂ間の寸法は、溝底部に敷設する遮水性シート１５の幅寸法に対応して設定されている。
【００１６】
シートロール支持部１３は、遮水性シート１５を巻回したシートロール１５ａを回転可能に支持するもので、シートロール１５ａの中心を貫通した軸部材２１の両端を、前記側板１９ｂ，１９ｂの前端上部に設けられた軸支持凹部２２内に挿入することにより、シートロール１５ａが回転可能な状態で支持される。
【００１７】
シート押圧部材１６は、暗渠管埋設溝１１の幅方向中央位置に配置された溝長手方向の棒状部材１６ａと、該棒状部材１６ａの基部が固着される溝幅方向の基部支持部材１６ｂとによってＴ字状に形成されており、基部支持部材１６ｂの長さは、側板１９ｂ，１９ｂ間の寸法に対応して設定され、左右方向の動きが規制されている。また、基部支持部材１６ｂの両端には、前記側板１９ｂ，１９ｂの後端上部に設けられた支持凹部２３内に回動可能に挿入される支持突起１６ｃがそれぞれ突設されている。さらに、棒状部材１６ａの先端側には、下方に向けて凸となる円弧状に形成されたシート押圧部１６ｄが設けられている。
【００１８】
このように形成したシート敷設器を使用して暗渠管埋設溝１１の底部に遮水性シート１５を敷設する作業は、まず、溝内移動体１２を暗渠管埋設溝１１の内部に挿入するとともに、シートロール１５ａをシートロール支持部１３にセットし、シートロール１５ａから遮水性シート１５を引き出して先端を暗渠管埋設溝１１の適宜な位置に固定した後、シート押圧部材１６を支持部材１９の後部にセットする。これにより、シートロール１５ａから引き出した遮水性シート１５が、シート押圧部材１６によって暗渠管埋設溝１１の底部に向けて押圧された状態になる。
【００１９】
この状態で、牽引部１７を利用してシート敷設器を前進させると、先端が固定された遮水性シート１５がシートロール１５ａから引き出され、シートガイド部１４によって暗渠管埋設溝１１内にガイドされ、シート押圧部材１６で下方に押圧されることにより、暗渠管埋設溝１１の底部に遮水性シート１５が敷設されていく。
【００２０】
この作業中、溝内移動体１２に転動部材１８ａ，１８ｂ，１８ｃを設けていることにより、シート敷設器を暗渠管埋設溝１１に沿って軽い力で前進させることができる。また、シートロール１５ａから引き出された遮水性シート１５は、シートガイド部となる側板１９ｂ，１９ｂ間を通過することにより、幅方向の移動が規制され、暗渠管埋設溝１１に沿ってまっすぐに引き出されていく。さらに、シート押圧部材１６が、自重によって遮水性シート１５の中央を暗渠管埋設溝１１の底面中央に押圧し、遮水性シート１５を暗渠管埋設溝１１の底部の所定位置に敷設していく。すなわち、遮水性シート１５及びシート押圧部材１６をあらかじめ設定された状態にセットし、シート敷設器を前進させるだけで暗渠管埋設溝１１の底部に遮水性シート１５を敷設することができる。
【００２１】
図５及び図６は、本発明のシート敷設器の第２形態例を示している。なお、以下の説明において、前記第１形態例に示したシート敷設器の構成要素と同一の構成要素には同一の符号を付して詳細な説明は省略する。
【００２２】
本形態例に示す溝内移動体３１は、適宜な断面形状及び長さの複数の角パイプを枠組みして形成されており、前記第１形態例と同様に、前後の底面フレーム３１ａの下面には、暗渠管埋設溝の底面に接触して転動する底面部転動部材１８ａがそれぞれ設けられるとともに、前後の側面フレーム３１ｂの上下には、側面下部転動部材１８ｂ及び側面上部転動部材１８ｃがそれぞれ設けられている。
【００２３】
溝内移動体３１の上部フレーム３１ｃの前後方向中央部には、遮水性シート１５を巻回したシートロール１５ａを回転可能に支持するシートロール支持部材３２が設けられている。また、上部フレーム３１ｃの後部には、シート押圧部材１６を支持する押圧部材支持部３３ａと、遮水性シート１５を暗渠管埋設溝に向けてガイドするシートガイド部材３４を支持するガイド部材支持部３３ｂとが設けられている。
【００２４】
シートガイド部となるシートガイド部材３４は、暗渠管埋設溝に向かう遮水性シート１５の下面をガイドする下面ガイド部３５と、遮水性シート１５の両側縁をガイドする側縁ガイド部３６とにより、遮水性シート１５を暗渠管埋設溝の形状に合わせたＵ字状に形成するものであって、前端部には、両端部がガイド部材支持部３３ｂにそれぞれ支持されるガイド部材支持棒３７が設けられている。
【００２５】
下面ガイド部３５は、ガイド部材支持棒３７が設けられた前端部３５ａが、遮水性シート１５の幅寸法に対応した平板状に形成され、暗渠管埋設溝内に挿入される後端部３５ｂが、暗渠管埋設溝の底部形状に対応したＵ字状に形成されるとともに、下面ガイド部３５の中間部は、前端部３５ａの平板状から後端部３５ｂのＵ字状に向かって両側部が徐々に上方に向かって絞り込まれた形状を有している。さらに、シートガイド部材３４の幅方向両側縁には、遮水性シート１５の幅方向両側縁をガイドするための側縁ガイド部３６となる折り返し部がそれぞれ形成されている。
【００２６】
このようなシートガイド部材３４を設けることにより、側縁ガイド部３６によって遮水性シート１５の両側縁を保持して幅方向への偏位を防止することができ、遮水性シート１５を下面ガイド部３５に沿って暗渠管埋設溝内に確実にガイドすることができる。
【００２７】
図７は、本発明のシート敷設器の第３形態例を示している。本形態例に示すシート敷設器は、前記第２形態例で示した溝内移動体３１及びシートガイド部材３４と同様に構成された溝内移動体４１と、該溝内移動体４１の後部に設けられたシートガイド部材４２とを有している。
【００２８】
シートガイド部材４２は、遮水性シート１５の下面をガイドする下面ガイド部４３と、遮水性シート１５の上面をガイドする上面ガイド部４４，４５と、遮水性シート１５の幅方向両側縁をガイドして遮水性シート１５が幅方向へ偏位することを防止するための側縁ガイド部４６とを有している。
【００２９】
シートガイド部材４２の中間部と後端部とにそれぞれ設けられた上面ガイド部４４，４５は、シートガイド部材４２の両上縁４２ａ，４２ａ間に掛け渡された取付部材４４ａ，４５ａと、各取付部材４４ａ，４５ａの両端部から下方に向かって凸となる形状に形成されたシート押圧部材４４ｂ，４５ｂとを有しており、シート押圧部材４４ｂ，４５ｂは、下面ガイド部４３の上面に沿った状態に形成され、下面ガイド部４３の上面と各シート押圧部材４４ｂ，４５ｂの下面との間に、遮水性シート１５が通過可能なガイドスリット４７，４７をそれぞれ形成している。
【００３０】
このように、下面ガイド部４３の上面と各シート押圧部材４４ｂ，４５ｂの下面との間に、遮水性シート１５が通過可能なガイドスリット４７，４７をそれぞれ設け、このガイドスリット４７，４７内に遮水性シート１５を通過させることにより、暗渠管埋設溝の底部に向かって遮水性シート１５を確実にガイドすることができる。
【００３１】
なお、溝内移動体の形状は、暗渠管埋設溝の形状及び遮水性シートの敷設位置などの条件に応じて適宜最適な形状で形成することができる。また、シートロール支持部は、シートロールの半径に応じて形成することができる。同様に、シートガイド部は、遮水性シートの幅寸法に応じて形成すればよく、幅寸法を調整可能に形成してもよい。さらに、シート押圧部材は、シートガイド部から引き出された遮水性シートを滑らからに暗渠管埋設溝の底部に向けてガイドしながら押圧できればよく、棒状部材の形状も任意であり、先端に押圧用ローラなどを取り付けることもでき、適度な押圧力を得るために、スプリングや重りを設けることもできる。また、トラクタなどによって溝内移動体を牽引することもできる。
【符号の説明】
【００３２】
１１…暗渠管埋設溝、１１ａ…底面、１１ｂ…側面、１２…溝内移動体、１２ａ…底面部ガイド部材、１２ｂ…側面部ガイド部材、１２ｃ…補強板、１３…シートロール支持部、１４…シートガイド部、１５…遮水性シート、１５ａ…シートロール、１６…シート押圧部材、１６ａ…棒状部材、１６ｂ…基部支持部材、１６ｃ…支持突起、１６ｄ…シート押圧部、１７…牽引部、１８ａ…底面部転動部材、１８ｂ…側面下部転動部材、１８ｃ…側面上部転動部材、１９…支持部材、１９ａ…底板、１９ｂ…側板、２１…軸部材、２２…軸支持凹部、２３…支持凹部、３１…溝内移動体、３１ａ…底面フレーム、３１ｂ…側面フレーム、３１ｃ…上部フレーム、３２…シートロール支持部材、３３ａ…押圧部材支持部、３３ｂ…ガイド部材支持部、３４…シートガイド部材、３５…下面ガイド部、３５ａ…前端部、３５ｂ…後端部、３６…側縁ガイド部、３７…ガイド部材支持棒、４１…溝内移動体、４２…シートガイド部材、４２ａ…シートガイド部材４２の上縁、４３…下面ガイド部、４４，４５…上面ガイド部、４４ａ，４５ａ…取付部材、４４ｂ，４５ｂ…シート押圧部材、４６…側縁ガイド部、４７…ガイドスリット
【図１】
2019015064.tif 000003
【図２】
2019015064.tif 000004
【図３】
2019015064.tif 000005
【図４】
2019015064.tif 000006
【図５】
2019015064.tif 000007
【図６】
2019015064.tif 000008
【図７】
2019015064.tif 000009